(57)【要約】【課題】空間を区画することができるとともに、良好な居住性を有する間仕切り装置を提供する。【解決手段】床面上に立設され、側縁に凹溝が形成された第一のパネル体と、床面から離間して設けられ、前記第一のパネル体の側縁に接続される第二のパネル体と、前記第二のパネル体に取り付けられ、前記第一のパネル体の前記凹溝内で前記第一のパネル体に支持される支持部材と、を備える。第一のパネル体が床面上から立設されているのに対して、第二のパネル体は床面から離間して設けられており、第二のパネル体の下方に区画両側を貫通させる間隙を設けることができる。このため、第二のパネル体が設けられた部分では、第二のパネル体により区画された範囲の一方側から他方側への視線を遮ることができるとともに、第二のパネル体の下方の間隙を通じて、照明機器の照光や空調機器の気流を区画の一方側から他方側へ到達させることができる。【選択図】図１
2015190116.tif 000002
【特許請求の範囲】
【請求項１】
床面上に立設され、側縁に凹溝が形成された第一のパネル体と、
床面から離間して設けられ、前記第一のパネル体の側縁に接続される第二のパネル体と、
前記第二のパネル体に取り付けられ、前記第一のパネル体の前記凹溝内で前記第一のパネル体に支持される支持部材と、
を備える間仕切り装置。
【請求項２】
前記支持部材は、前記第一のパネル体の前記凹溝内に延在する第一支持部と、前記第二のパネル体の下端縁に沿って延在する第二支持部と、前記第一支持部と前記第二支持部とを接続する支持部材基部と、を有する請求項１に記載の間仕切り装置。
【請求項３】
前記第二のパネル体は、端縁に形成された凹溝を備え、
前記第二支持部は、前記第二のパネル体の前記凹溝内に沿って延在する請求項２に記載の間仕切り装置。
【請求項４】
前記支持部材における前記第一支持部は、前記第一のパネル体の前記凹溝に沿って下方に延びて前記床面に支持される請求項２又は３に記載の間仕切り装置。
【請求項５】
前記第二のパネル体の上端縁は、前記第一のパネル体の上端縁よりも低い位置に延在する請求項１から４のいずれか一項に記載の間仕切り装置。
【請求項６】
前記第一のパネル体を、間隔を有して複数備え、
前記第二のパネル体は、前記複数の第一のパネル体の間に設けられ、それぞれの前記第一のパネル体に前記支持部材を介して支持されている請求項１から５のいずれか一項に記載の間仕切り装置。
【請求項７】
前記凹溝に嵌め込まれる嵌合部材を備え、
該嵌合部材は前記凹溝の両側面に沿って互いに平行に位置する側部プレート部と、前記側部プレート部どうしを一体に連結する連結プレート部と、前記側部プレート部における前記連結プレート部よりも前記凹溝の底部から離間する側に前記凹溝の内方に向かって突出する突条と、を有し、
前記第一支持部は、前記嵌合部材における前記突条と、前記側部プレート部と、で形成される領域に嵌合することで保持される請求項２から６のいずれか一項に記載の間仕切り装置。
【発明の詳細な説明】
【技術分野】
【０００１】
本発明は、間仕切り装置に関する。
【背景技術】
【０００２】
オフィスや公共施設、商業施設等の空間では、施設内に形成された大空間の一部を複数の小空間に区画することによって、空間利用における自由度を高めることが求められている。そこで、空間内に、間仕切り装置（パーティション）を設けることが広く行われている。間仕切り装置を設けることにより周囲からの視線や音をある程度遮ることができる。この間仕切り装置により空間の一部を仕切り、各執務者の固有スペースを設けたり、打合わせ等のためのスペースを設けたりすることができる。
【０００３】
このような装置としては、特許文献１に記載のものが知られている。特許文献１に記載された間仕切り装置は、芯材と、芯材の表面に設けられた表皮材と、これら芯材および表皮材の外周部に沿って設けられるフレームと、を備えている。
【先行技術文献】
【特許文献】
【０００４】
【特許文献１】特開平９−１７７２０９号公報
【発明の概要】
【発明が解決しようとする課題】
【０００５】
上述のような間仕切り装置によれば空間を区画することで、作業者にとって集中しやすい環境を提供できる。その一方で、間仕切り装置は、照明機器の照光や、空調機器の気流までも遮ってしまう。したがって、作業者にとって集中しやすい環境を提供できる反面、不要な閉塞感までも与えることで居住性を損なう可能性もある。
【０００６】
本発明はこのような事情を考慮してなされたものであり、空間を区画することができるとともに、良好な居住性を有する間仕切り装置を提供することを目的とする。
【課題を解決するための手段】
【０００７】
上記課題を解決するため、本発明は以下の手段を採用している。
本発明の一の態様に係る間仕切り装置は、床面上に立設され、側縁に凹溝が形成された第一のパネル体と、床面から離間して設けられ、前記第一のパネル体の側縁に接続される第二のパネル体と、前記第二のパネル体に取り付けられ、前記第一のパネル体の前記凹溝内で前記第一のパネル体に支持される支持部材と、を備える。
【０００８】
このような間仕切り装置では、第二のパネル体は、第一のパネル体に支持された支持部材が取り付けられることで、支持部材を介して床面から離間した状態で第一のパネル体に支持されることとなる。ここで、支持部材の第一のパネル体に支持される部分は、第一のパネル体の側縁に形成された凹溝内に配されるため、外観を良好なものとすることができる。また、第一のパネル体が床面上から立設されているのに対して、第二のパネル体は床面から離間して設けられており、第二のパネル体の下方に区画両側を貫通させる間隙を設けることができる。このため、第二のパネル体が設けられた部分では、第二のパネル体により区画された範囲の一方側から他方側への視線を遮ることができるとともに、第二のパネル体の下方の間隙を通じて、照明機器の照光や空調機器の気流を区画の一方側から他方側へ到達させることができる。
【０００９】
さらに、本発明の一の態様に係る間仕切り装置では、前記支持部材は、前記第一のパネル体の前記凹溝内に延在する第一支持部と、前記第二のパネル体の下端縁に沿って延在する第二支持部と、前記第一支持部と前記第二支持部とを接続する支持部材基部と、を有していてもよい。
【００１０】
このような構成によれば、支持部材において、第一支持部が凹溝内に延在して第一のパネル体に支持されつつ、第一支持部と支持部材基部を介して接続された第二支持部が第二のパネル体に取り付けられることで、第二のパネル体を第一のパネル体に支持させることができる。ここで、支持部材において、第一支持部が凹溝内に延在するとともに、第二支持部が第二のパネル体の下端縁に沿って延在していることで、いずれも使用者から見難くして外観をより良好なものとすることができる。
【００１１】
さらに、本発明の一の態様に係る間仕切り装置では、前記第二のパネル体は、端縁に形成された凹溝を備え、前記第二支持部は、前記第二のパネル体の前記凹溝内に沿って延在する構成であってもよい。
【００１２】
このような構成によれば、支持部材の第二支持部が第二のパネル体の凹溝内に沿って延在している。したがって、支持部材において、第一支持部が凹溝内に延在するとともに、第二支持部が第二のパネル体の凹溝内に延在していることで、支持部材がさらに使用者から見難くすることができ、外観をさらに良好なものとすることができる。
【００１３】
さらに、本発明の一の態様に係る間仕切り装置では、前記支持部材における前記第一支持部は、前記第一のパネル体の前記凹溝に沿って下方に延びて前記床面に支持されるように構成されていてもよい。
【００１４】
このような構成によれば、第一支持部が床面上まで延びていることによって、第二のパネル体は、第一支持部を介して、第一のパネル体に支持されるとともに、床面からも支持された状態とすることができる。したがって、第二のパネル体をより安定的に支持することができる。
【００１５】
さらに、本発明の一の態様に係る間仕切り装置では、前記第二のパネル体の上端縁は、前記第一のパネル体の上端縁よりも低い位置に延在するように構成されていてもよい。
【００１６】
このような構成によれば、第二のパネル体における上端縁よりも上側に間隙を設けることができる。したがって、この間隙を通じて、使用者の上方からの照明機器から照らされる照明光の採光や使用者の上方の空調機器の気流の流通をより好適なものとすることができる。
【００１７】
さらに、本発明の一の態様に係る間仕切り装置では、前記第一のパネル体を、間隔を有して複数備え、前記第二のパネル体は、前記複数の第一のパネル体の間に設けられ、それぞれの前記第一のパネル体に前記支持部材を介して支持される構造であってもよい。
【００１８】
このような構成によれば、複数の第一のパネル体の間に第二のパネル体を支持されることで、より広い空間を区画することができる。加えて、第二のパネル体の少なくとも下方に形成される間隙を通じて、照明機器の照光や空調機器の気流を区画の内部に到達させることができる。
【００１９】
さらに、本発明の一の態様に係る間仕切り装置は、前記凹溝に嵌め込まれる嵌合部材を備え、該嵌合部材は前記凹溝の両側面に沿って互いに平行に位置する側部プレート部と、前記側部プレート部どうしを一体に連結する連結プレート部と、前記側部プレート部における前記連結プレート部よりも前記凹溝の底部から離間する側に前記凹溝の内方に向かって突出する突条と、を有し、前記第一支持部は、前記嵌合部材における前記突条と、前記側部プレート部と、で形成される領域に嵌合することで保持される構成であってもよい。
【００２０】
このような構成によれば、下部支持部材における第一支持部は、嵌合部材における突条と、側部プレート部とで形成される領域に嵌合することで保持される。したがって、嵌合部材から第一支持部が脱落することを抑制することができる。
【発明の効果】
【００２１】
本発明によれば、空間を区画することができるとともに、良好な居住性を有する間仕切り装置を提供することができる。
【図面の簡単な説明】
【００２２】
【図１】本発明の第一実施形態における間仕切り装置の一例を示す正面図である。
【図２】本発明の第一実施形態におけるパネル体の構成を示す斜視展開図である。
【図３】パネル体の板厚方向中間部における半断面図である。
【図４】パネル体の端部を示す上面図である。
【図５】パネル体の直線部の構造を示す断面図である。
【図６】パネル体のコーナー部の構造を示す断面図である。
【図７】パネル基材の表面に沿って設けられたクッション材を示す断面図であり、（ａ）は表皮材を装着していない状態におけるクッション材の断面図、（ｂ）は表皮材を装着した状態におけるクッション材の断面図である。
【図８】パネル体どうしの連結部の構成を示す斜視展開図である。
【図９】下部支持部材の構成を示す斜視図である。
【図１０】パネル体どうしの下部における連結構造を示す斜視図である。
【図１１】上部支持部材の構成を示す斜視図である。
【図１２】パネル体どうしの上部における連結構造を示す斜視図である。
【図１３】本発明の第二実施形態に係る間仕切り装置の一例を示す正面図である。
【図１４】本発明の第二実施形態に係る連結構造の変形例を示す斜視展開図である。
【図１５】本発明の第三実施形態に係る間仕切り装置の一例を示す正面図である。
【図１６】本発明の第三実施形態に係る間仕切り装置の変形例を示す正面図である。
【発明を実施するための形態】
【００２３】
（間仕切り装置）
本発明の第一実施形態に係る間仕切り装置１０について、図面を参照して説明する。
間仕切り装置１０は、複数枚のパネル体１１を連結することによって構成される。パネル体１１は、例えばオフィス等における空間を区画することを目的として、床面上から上方に向かって立設されるパネル状の部材である。
本実施形態に係る間仕切り装置１０は、高さ方向における寸法の異なる２種類のパネル体１１（第一のパネル体１１Ａ，第二のパネル体１１Ｂ）から構成される。第一のパネル体１１Ａと第二のパネル体１１Ｂとは、上述の高さ方向における寸法が異なる点以外は、基本的に同一の構成を有している。したがって、以下の説明では双方を区別する必要がある場合を除いて、第一のパネル体１１Ａと第二のパネル体１１Ｂとを総称してパネル体１１と呼ぶ。
【００２４】
（パネル体）
図２に示すように、間仕切り装置１０を構成する各パネル体１１は、パネル基材（基材）１２と、パネル基材１２の両面に沿って設けられたクッション材（軟性材）１３と、パネル基材１２およびクッション材１３を覆う表皮材１４と、固定部材３０と、を備えている。
【００２５】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００２６】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば断面六角形状の孔１５ｈが複数千鳥状に組み合わされたハニカム構造とされている。
【００２７】
（フレーム）
図２、図３に示すように、この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト２３、あるいは溶接、接着等によって接合されている。これら枠材２１Ａ，２１Ｂ，２１Ｃ，２１Ｄによって、全体として矩形状をなしたフレーム２０が形成されている。
【００２８】
図４〜図６に示すように、各枠材２１Ａ，２１Ｂ，２１Ｃ，２１Ｄは、フレーム２０の内周側の芯材１５の外周端面１５ａに対向する基部２１ｅと、基部２１ｅの幅方向両側からそれぞれフレーム２０の外周側に向けて立ち上がる側壁部２１ｆと、からなる断面略Ｕ字状に形成されている。これにより、基部２１ｅと、両側の側壁部２１ｆ，２１ｆとに囲まれた部分は、凹溝２５とされている。
このようにして、パネル基材１２は、その外周側面に沿って連続し、パネル基材１２の内方に向けて凹んだ凹溝２５を有している。
【００２９】
ここで、Ｌ字状のブラケット２２は、枠材２１Ａまたは２１Ｂに沿って枠材２１Ａまたは２１Ｂの端部に設けられる第一プレート部２２ａと、第一プレート部２２ａに直交し、枠材２１Ｃまたは２１Ｄに沿って枠材２１Ｃまたは２１Ｄの端部に設けられる第二プレート部２２ｂと、第一プレート部２２ａおよび第二プレート部２２ｂに沿ってＬ字状のブラケット２２の屈曲方向内側に設けられたリブ部２２ｃとが一体に形成されている。
【００３０】
Ｌ字状のブラケット２２の第一プレート部２２ａ、第二プレート部２２ｂには、雌ネジ部２９が形成されている。またブラケット２２の第一プレート部２２ａに沿う枠材２１Ａまたは２１Ｂの基部２１ｅと、第二プレート部２２ｂに沿う枠材２１Ｃまたは２１Ｄの基部２１ｅには、それぞれ、雌ネジ部２９に対向した位置に、貫通孔２８が形成されている。
【００３１】
リブ部２２ｃは、第一プレート部２２ａおよび第二プレート部２２ｂから、第一プレート部２２ａおよび第二プレート部２２ｂに直交して、パネル体１１の内周側に向けて突出形成されている。このリブ部２２ｃは、第一プレート部２２ａおよび第二プレート部２２ｂの幅方向両側、つまり、パネル体１１の一面側と他面側とにそれぞれ形成されている。
このリブ部２２ｃは、第一プレート部２２ａおよび第二プレート部２２ｂの曲げ強度を高める補強部材として機能するだけでなく、芯材１５の角部の押さえ部材としても機能することができる。すなわち、パネル基材１２の一面側と他面側にそれぞれ設けられたリブ部２２ｃの間に芯材１５が挟み込まれる。パネル基材１２においては、四隅にこのようなブラケット２２が設けられることにより、芯材１５をフレーム２０の内側に保持できるようになっている。
【００３２】
なお、図２では、平面板状のパネル体１１の例を示したが、パネル体１１を平面視または側面視した状態で略Ｌ字状、略Ｃ字状等とする場合には、フレーム２０の上下の枠材２１Ｃ，２１Ｄまたは左右の枠材２１Ａ，２１Ｂを，パネル体１１の形状に合わせて折曲または湾曲させる。
【００３３】
図５、図６に示すように、フレーム２０および芯材１５を覆うように、芯材１５の両面には、シート状のベースシート１８が設けられている。ベースシート１８は、例えばボール紙等から形成されている。このベースシート１８は、芯材１５よりも外形寸法が大きく、その外周部１８ａがフレーム２０の表面２０ｆに接着剤等により接着されている。
【００３４】
（クッション材）
クッション材１３は、パネル基材１２の表面を形成するベースシート１８に沿って設けられている。クッション材１３は、ベースシート１８を介して、芯材１５の全体を覆うように設けられている。さらに、クッション材１３は、その外周端部１３ｓが、フレーム２０を構成する各枠材２１Ａ，２１Ｂ，２１Ｃ，２１Ｄの側壁部２１ｆを覆うように設けられている。つまり、クッション材１３は、芯材１５およびフレーム２０を覆うように設けられている。
このクッション材１３は、柔軟性および弾性を有した材料、例えば発泡ウレタン材等から形成されている。
【００３５】
さらに、クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
【００３６】
図５、図７に示すように、各貫通孔１６は、クッション材１３においてパネル基材１２とは反対側を向く外表面１３ｆからパネル基材１２側に対向する対向面１３ｇまで、クッション材１３の厚さ方向に貫通して形成されている。図７（ａ）に示すように、各貫通孔１６は、その内周面１６ｆが外表面１３ｆと直交して形成されている。これにより、貫通孔１６の周縁に角部１６ｖが形成されている。
このような貫通孔１６が形成されたクッション材１３をパネル基材１２の表面に設けることで、パネル基材１２の表面に角部１６ｖを有する凹凸形状が形成される。
【００３７】
（表皮材）
図５、図７（ｂ）に示すように、表皮材１４は、クッション材１３の全体を覆うよう設けられている。表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう、接着されている。このようにして、表皮材１４が、クッション材１３に形成された複数の貫通孔１６に沿うことで、パネル体１１の表面には、複数の長円形状の凹部１７が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面とされている。
【００３８】
また、図５、図６に示すように、クッション材１３および表皮材１４は、パネル基材１２よりも大きな外形寸法を有している。そして、クッション材１３および表皮材１４は、その外周端部１３ｅ，１４ｅが、パネル基材１２の外周縁部、つまり各枠材２１Ａ，２１Ｂ，２１Ｃ，２１Ｄの側壁部２１ｆを回り込んで、凹溝２５内側に巻き込まれている。このクッション材１３および表皮材１４の外周端部１３ｅ，１４ｅが、各枠材２１Ａ，２１Ｂ，２１Ｃ，２１Ｄの側壁部２１ｆを回り込む部分で、クッション材１３が表皮材１４によって圧縮される。これにより、パネル体１１は、外周端部１１ｓに向かうにしたがって、その厚みが漸次小さくするように形成されている。また、パネル体１１は、外周端部１１ｓにおいてクッション材１３および表皮材１４が各枠材２１Ａ，２１Ｂ，２１Ｃ，２１Ｄの側壁部２１ｆを回り込む部分で、丸く円弧状に形成されている。
これらクッション材１３及び表皮材１４が、表皮構造を構成している。
【００３９】
（固定部材）
固定部材３０は、凹溝２５に嵌め込まれている。固定部材３０は、凹溝２５内側に巻き込まれたクッション材１３および表皮材１４の外周端部１３ｅ，１４ｅを、凹溝２５の内周面と固定部材３０の外周面との間に挟み込んでいる。これにより、クッション材１３および表皮材１４の外周端部１３ｅ，１４ｅをフレーム２０の側壁部２１ｆに固定している。
【００４０】
ここで、図２に示すように、固定部材３０は、矩形状のパネル基材１２の外周部の直線部分１２Ｓに配置される直線部固定部材（嵌合部材）３０Ｓと、矩形状のパネル基材１２の外周部のコーナー部１２Ｃに配置されるコーナー部固定部材３０Ｃと、を備えている。
【００４１】
図５に示すように、直線部固定部材３０Ｓは、直線部固定部材３０Ｓが連続する方向に直交する断面形状が、互いに平行に位置する側部プレート部３１，３１と、側部プレート部３１，３１どうしを一体に連結する連結プレート部３２と、を備えている。
【００４２】
側部プレート部３１，３１は、フレーム２０の凹溝２５を形成する側壁部２１ｆとの間に、クッション材１３および表皮材１４の外周端部１３ｅ，１４ｅを挟み込む。このため、側部プレート部３１，３１の間隔は、凹溝２５の側壁部２１ｆ，２１ｆの間隔よりも所定寸法小さく形成されている。これら側部プレート部３１，３１は、直線部固定部材３０Ｓを凹溝２５内に嵌め込んだときに、先端部３１ａ，３１ａが凹溝２５の基部２１ｅに突き当たるよう形成されている。
【００４３】
連結プレート部３２は、側部プレート部３１，３１の先端部３１ａ，３１ａよりも、凹溝２５の基部２１ｅから離間する方向にオフセットして形成されている。これにより、直線部固定部材３０Ｓは、側部プレート部３１，３１と連結プレート部３２とにより、断面略Ｈ字状をなしている。そして、直線部固定部材３０Ｓは、凹溝２５内に嵌め込んだ状態で、側部プレート部３１，３１の先端部３１ａ，３１ａ側と、連結プレート部３２と、凹溝２５の基部２１ｅとに囲まれた部分に、空間Ｓ１が形成されるようになっている。この空間Ｓ１は、凹溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。
【００４４】
また、側部プレート部３１，３１において、凹溝２５の側壁部２１ｆ，２１ｆに対向する側には、突起３３，３３が形成されている。この突起３３，３３は、側部プレート部３１，３１と側壁部２１ｆ，２１ｆとの間に挟み込まれたクッション材１３および表皮材１４の外周端部１３ｅ，１４ｅに食い込むようになっている。これにより、直線部固定部材３０Ｓは、クッション材１３および表皮材１４が凹溝２５から抜け出ることを防止している。
【００４５】
さらに、側部プレート部３１，３１において、連結プレート部３２よりも凹溝２５の基部２１ｅから離間する側には、側部プレート部３１，３１から内方に向けて突出する突条３４，３４が形成されている。そして、これら突条３４，３４と、側部プレート部３１，３１と、連結プレート部３２とに囲まれて、オプション部材等を装着するための装着溝３５が形成されている。また、突条３４,３４の装着溝３５側の面が先端から基端に向かうに従って、すなわち、装着溝３５の中央から端に向かうに従って、連結プレート部３２から離間するように傾斜して形成されている。
【００４６】
図３に示すように、パネル体１１の上部のコーナー部に配置されるコーナー部固定部材３０Ｃは、上下方向に延びる第一直線状部３８Ａと、第一直線状部３８Ａの上端から屈曲して横方向に延びる第二直線状部３８Ｂとから、略Ｌ字状に形成されている。
第一直線状部３８Ａは、上下方向に延びる枠材２１Ａまたは枠材２１Ｂの上端部において凹溝２５内に嵌め込まれる。第二直線状部３８Ｂは、第一直線状部３８Ａの一端から連続して形成され、横方向に延びる枠材２１Ｃまたは枠材２１Ｄの両端部において凹溝２５内に嵌め込まれる。
【００４７】
図６に示すように、第一直線状部３８Ａ、第二直線状部３８Ｂは、それぞれが連続する方向に直交する断面形状が、互いに平行に位置する側部プレート部３６，３６と、側部プレート部３６，３６どうしを一体に連結する連結プレート部３７と、を備えている。
【００４８】
側部プレート部３６，３６は、フレーム２０の凹溝２５を形成する側壁部２１ｆ，２１ｆとの間に、クッション材１３および表皮材１４の外周端部１３ｅ，１４ｅを挟み込む。このため、側部プレート部３６，３６の間隔は、凹溝２５の側壁部２１ｆ，２１ｆの間隔よりも所定寸法小さく形成されている。これら側部プレート部３６，３６は、コーナー部固定部材３０Ｃを凹溝２５内に嵌め込んだときに、先端部３６ａ，３６ａが凹溝２５の基部２１ｅに突き当たるよう形成されている。
ここで、側部プレート部３６，３６において、凹溝２５の側壁部２１ｆ，２１ｆに対向する側に、凸部３６ｔ，３６ｔが形成されている。この凸部３６ｔ，３６ｔは、側部プレート部３１，３１と側壁部２１ｆ，２１ｆとの間にクッション材１３および表皮材１４の外周端部１３ｅ，１４ｅを挟み込むようになっている。
【００４９】
連結プレート部３７は、側部プレート部３６，３６の先端部３６ａ，３６ａよりも、凹溝２５の基部２１ｅから離間する方向にオフセットして形成されている。これにより、コーナー部固定部材３０Ｃは、側部プレート部３６，３６と連結プレート部３７により、断面略Ｈ字状をなしている。そして、直線部固定部材３０Ｓは、凹溝２５内に嵌め込んだ状態で、側部プレート部３６，３６の先端部３６ａ，３６ａ側と、連結プレート部３７と、凹溝２５の基部２１ｅとに囲まれた部分に、空間Ｓ２が形成されるようになっている。この空間Ｓ２は、凹溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。なおここで、連結プレート部３７は、直線部固定部材３０Ｓにおける連結プレート部３２よりも基部２１ｅに近く、空間Ｓ２は、空間Ｓ１よりも小さく形成されている。
【００５０】
図３に示すように、パネル体１１において、間仕切り装置１０の端部、つまり他のパネル体１１が連結されない端部においては、コーナー部固定部材３０Ｃは、凹溝２５に対し、コーナーキャップ４０によって固定されている。コーナーキャップ４０は、第一直線状部４１Ａと、第一直線状部４１Ａの一端に連続し、第一直線状部４１Ａに直交して延びる第二直線状部４１Ｂとからなる略Ｌ字状をなしている。図６に示すように、これら第一直線状部４１Ａ,第二直線状部４１Ｂは、コーナー部固定部材３０Ｃの第一直線状部３８Ａ，第二直線状部３８Ｂに対し、側部プレート部３６，３６との間に挿入され、連結プレート部３７に突き当てられている。
そして、図３に示すように、第一直線状部４１Ａの下端部には、突起片４３が下方に向けて突出形成されている。この突起片４３が、直線部固定部材３０Ｓの上端部において、連結プレート部３２と突条３４との間の装着溝３５（図５参照）に挿入されている。
【００５１】
また、第二直線状部４１Ｂには、ボルト４５を挿入するボルト挿通孔４４が形成されている。このボルト挿通孔４４に挿通させたボルト４５により、コーナーキャップ４０と、コーナー部固定部材３０Ｃ、枠材２１Ｃ、ブラケット２２の第二プレート部２２ｂが一体に締結されている。
【００５２】
（支持脚）
上述のように構成されたパネル体１１のうち、床面上に接して立設される第一のパネル体１１Ａの下部両端部におけるコーナー部には、それぞれ支持脚５０が取付可能とされている。この支持脚５０は、床面に接地することで、第一のパネル体１１Ａは床面上に立設される。
他方、図示はしないが、第二のパネル体１１Ｂでは、４つ全ての端部におけるコーナー部にコーナー部固定部材３０Ｃが配置される。
【００５３】
支持脚５０は、パネル基材１２の下部端部１２Ｐで凹溝２５内に収容される下部支持部５１と、下部支持部５１の一端から上方に延び、パネル基材１２の側部下端部１２Ｑで凹溝２５内に収容される側部支持部５２と、下部支持部５１よりも下方に延びる支持脚部５３と、を一体に備えている。
【００５４】
下部支持部５１はフレーム２０の下端部の凹溝２５の底面を形成する基部２１ｅに突き当てて固定されている。また、側部支持部５２は、フレーム２０の側端部の凹溝２５の底面を形成する基部２１ｅに突き当てて固定されている。
下部支持部５１および側部支持部５２には、ボルト４８が挿通されるボルト挿通孔５４が形成されている。このボルト挿通孔５４に挿通されるボルト４８は、雌ネジ部２９および貫通孔２８にねじ込まれるようになっている。これにより、支持脚５０が、パネル体１１に固定される。支持脚部５３は、下部支持部５１よりも下方に延び、その下端部に、高さ調整ネジ４９がねじ込み可能とされている。
【００５５】
（パネル体どうしの連結構造）
図８に示すように、間仕切り装置１０を構成する複数のパネル体１１（第一のパネル体１１Ａ，第二のパネル体１１Ｂ）は、下部支持部材６０（支持部材６０）と、上部支持部材７０（支持部材７０）とを介して互いに連結されている。
より詳細には、第一のパネル体１１Ａの外周端部（側縁）１１ｓにおける中途位置と、第二のパネル体１１Ｂにおける下端縁とが連結される。
【００５６】
（パネル体下部における連結）
図９、１０に示すように下部支持部材６０は、外形視で概ねＬ字状に形成された部材である。より詳細には、下部支持部材６０は、概ね平板状に形成された支持部材基部６３と、支持部材基部６３の一方側の端部から下方に向かって延びる第一支持部６１と、支持部材基部６３と段差部６３ｆを介して支持部材基部６３と同じ方向に延びる第二支持部６４と、を有しており、第一支持部６１を一辺、第二支持部６４を他辺とした両辺により概ねＬ字状に形成されている。
【００５７】
第一支持部６１は、支持部材基部６３の一方側の端部から、支持部材基部６３の延びる方向とおおむね直交する方向に延びるように構成されている。さらに、第一支持部６１における支持部材基部６３と離間する方向の端部には貫通孔６１ｈが形成されている。この貫通孔６１ｈにはボルト６５が挿通される。
【００５８】
第二支持部６４は、支持部材基部６３における他方側の端部から、支持部材基部６３の延びる方向とおおむね平行な方向に向かって延びるように構成されている。より詳細には、第二支持部６４の一方側の端部は、支持部材基部６３における第一支持部６１が延在する方向側の面に接続されている。これにより、支持部材基部６３と第二支持部６４との間には段差部６３ｆが形成されている。段差部６３ｆは、支持部材基部６３の他方側の端面と、第二支持部６４における第一支持部６１が延びる方向とは反対側の面とが、概ね直角に交差することで形成される。
さらに、これら支持部材基部６３と、第一支持部６１と、第二支持部６４とは一の部材として一体に形成される。
【００５９】
さらに、下部支持部材６０は、連結プレート部３２と突条３４，３４との間の装着溝３５に挿入されて、突条３４，３４を第一支持部６１との間で挟み込む係合部８５をさらに備える。係合部８５には、第一支持部６１の貫通孔６１ｈに螺合されるボルト６５をねじ込むための雌ねじ８５ｈが形成されている。そして、雌ねじ８５ｈにボルト６５をねじ込むことで、係合部８５は第一支持部６１との距離を狭めて第一支持部６１との間で直線部固定部材３０Ｓの突条３４を挟み込むことができ、これにより直線部固定部材３０Ｓに下部支持部材６０が支持された状態とすることができる。
また、係合部８５は、直線部固定部材３０Ｓにおける装着溝３５の形状に対応した断面形状を有する。より詳細には、係合部８５の延在する方向と直交する面における断面の形状は、略Ｃ字型に形成されている。換言すると、係合部８５の断面における一方側の面は凹状に形成されている。他方側の面は、該凹形状に対応する凸状に形成されている。この凹状に形成された面が、直線部固定部材３０Ｓの突条３４，３４において、装着溝３５側の面に当接する。以上のようにして、係合部８５は、直線部固定部材３０Ｓにおける、突条３４と、側部プレート部３１と、連結プレート部３２との囲まれた空間Ｓ１である装着溝３５に保持される。
【００６０】
このような下部支持部材６０によって、互いに隣接するパネル体１１，１１どうしを連結するには、以下のようにする。
まず、第一支持部６１が直線部固定部材３０Ｓに対して嵌合する。より詳細には、下部支持部材６０における第一支持部６１が、突条３４，３４と、側部プレート部３１，３１とで形成された空間に嵌合される。この状態で、ボルト挿通孔６１ｈに対してボルト６５をねじ込む。さらに、ボルト６５が上述の係合部８５にまで到達した後、さらにボルト６５を締め込むと、突条３４，３４を介して第一支持部６１との距離が狭まる。これにより、第一支持部６１は係合部８５に対して固定される。
【００６１】
一方で、第二支持部６４は、図６に示すように、コーナー部固定部材３０Ｃにおける側部プレート部３６，３６との間に挿入されるとともに、連結プレート部３７に突き当てられる。さらに、連結プレート部には形成された雌ねじを有する孔３７ｈに対して、ボルト６６を螺合させる。これにより、第二支持部６４はコーナー部固定部材３０Ｃに対して固定される。
【００６２】
（パネル体上部における連結）
図１１に示すように、第一のパネル体１１Ａと、第二のパネル体１１Ｂとは、それぞれの上端部どうしを、上部支持部材７０によって連結される。
この上部支持部材７０は、コーナーキャップ４０に代えて、コーナー部固定部材３０Ｃに取り付けられる。上部支持部材７０の両端部７１ａ，７１ａには、ボルト挿通孔７２が形成されている。
【００６３】
また、上部支持部材７０の中間部７１ｂの下面側には、互いに隣接するパネル体１１，１１の上部に配置されたコーナー部固定部材３０Ｃ，３０Ｃの間隔を規制する間隔規制部７３が下方に向けて突出形成されている。間隔規制部７３が、互いに隣接するパネル体１１，１１（第一のパネル体１１Ａ，第二のパネル体１１Ｂ）の上部に配置されたコーナー部固定部材３０Ｃ．３０Ｃの間に挿入されることで、パネル体１１，１１どうしの間隔を規制することができる。
【００６４】
このような上部支持部材７０によって、互いに隣接するパネル体１１，１１の上端部どうしを連結するには、以下のようにする。
まず、上部支持部材７０を、互いに隣接するパネル体１１，１１の上部に配置されたコーナー部固定部材３０Ｃ．３０Ｃ上に載せる。このとき、上部支持部材７０の両端部７１ａ，７１ａの下面が、コーナー部固定部材３０Ｃの第二直線状部３８Ｂに対し、側部プレート部３６，３６との間に挿入され、連結プレート部３７に突き当てられている。そして、間隔規制部７３が、互いに隣接するパネル体１１，１１の上部に配置されたコーナー部固定部材３０Ｃ．３０Ｃの間に挿入されることで、パネル体１１，１１どうしの間隔を規制することができる。より具体的には、間隔規制部７３の両側面７３ａ，７３ａに、コーナー部固定部材３０Ｃの第一直線状部３８Ａの連結プレート部３７を突き当てることで、パネル体１１，１１どうしの間隔を適正に位置決めできる。この状態で、ボルト挿通孔７２に挿通させたボルト７４を、貫通孔２８を通して雌ネジ部２９に締結させることにより、上部支持部材７０と、コーナー部固定部材３０Ｃ、枠材２１Ｃ（図３参照）、ブラケット２２の第二プレート部２２ｂ（図３参照）を一体に固定する。これによって、互いに隣接するパネル体１１，１１の上端部どうしが連結される。
【００６５】
このような間仕切り装置１０では、第二のパネル体１１Ｂは、第一のパネル体１１Ａに支持された支持部材（下部支持部材６０、上部支持部材７０）が取り付けられることで、支持部材を介して床面から離間した状態で第一のパネル体１１Ａに支持されることとなる。ここで、支持部材の第一のパネル体１１Ａに支持される部分は、第一のパネル体１１Ａの側縁に形成された凹溝２５内に配されるため、外観を良好なものとすることができる。また、第一のパネル体１１Ａが床面上から立設されているのに対して、第二のパネル体１１Ｂは床面から離間して設けられており、第二のパネル体１１Ｂの下方に区画両側を貫通させる間隙を設けることができる。このため、第二のパネル体１１Ｂが設けられた部分では、第二のパネル体１１Ｂにより区画された範囲の一方側から他方側への視線を遮ることができるとともに、第二のパネル体１１Ｂの下方の間隙を通じて、照明機器の照光や空調機器の気流を区画の一方側から他方側へ到達させることができる。
【００６６】
さらに、上述のような構成によれば、下部支持部材６０において、第一支持部６１が凹溝２５内に延在して第一のパネル体１１Ａに支持されつつ、第一支持部６１と支持部材基部６３を介して接続された第二支持部６４が第二のパネル体１１Ｂに取り付けられることで、第二のパネル体１１Ｂを第一のパネル体１１Ａに支持させることができる。ここで、下部支持部材６０において、第一支持部６１が凹溝２５内に延在するとともに、第二支持部６４が第二のパネル体１１Ｂの下端縁に沿って延在していることで、いずれも使用者から見難くして外観をより良好なものとすることができる。
【００６７】
加えて、上述のような構成によれば、複数の第一のパネル体１１Ａの間に第二のパネル体１１Ｂを支持されることで、より広い空間を区画することができる。加えて、第二のパネル体１１Ｂの下方に形成される間隙Ｘを通じて、照明機器の照光や空調機器の気流を区画の内部に到達させることができる。これにより、良好な居住性を備えた間仕切り装置１０を提供することができる。
【００６８】
さらに、上述のような構成によれば、下部支持部材６０における第一支持部６１は、嵌合部材（直線部固定部材３０Ｓ）における突条３４，３４と、側部プレート部３１，３１とで形成される領域に嵌合することで保持される。したがって、嵌合部材（直線部固定部材３０Ｓ）から第一支持部６１、すなわち下部支持部材６０が脱落することを抑制することができる。
【００６９】
加えて、上述のような構成によれば、基材１２の少なくとも一面側が表皮材１４で覆われるため、基材が外部に露出しない。したがって、パネル体１１の審美性を高めることができる。
【００７０】
さらに、上述のような構成によれば、基材１２の外周縁部が表皮材１４によって覆われるため、パネル体１１の外周縁部が外部に露出しない。したがって、パネル体１１の審美性をさらに高めることができる。
【００７１】
以上、本発明の実施形態について図面を参照して詳述したが、上述の実施形態における各構成及びそれらの組み合わせ等は一例であり、本発明の趣旨から逸脱しない範囲内で、構成の付加、省略、置換、及びその他の変更が可能である。
【００７２】
なお、本実施形態では、第一のパネル体１１Ａと第二のパネル体１１Ｂとは、互いの上端縁が同一の高さとなるような状態で接続される例を説明した。しかしながら、第一のパネル体１１Ａと第二のパネル体１１Ｂとの接続の態様は上記に限定されない。
例えば、図１３に示すように、第二のパネル体１１Ｂが、第一のパネル体１１Ａの側縁の上下方向における中間位置に接続される構成であってもよい。
【００７３】
この場合、第一のパネル体１１Ａの側縁と、第二のパネル体１１Ｂの上端部とは、上述の下部支持部材６０を用いて接続される。より詳細には、下部支持部材６０を上下方向に反転して用いる。すなわち、第一支持部６１が支持部材基部６３から上方に向かって延在するような状態で用いられる。
【００７４】
このような構成によれば、第二のパネル体１１Ｂを配置する位置を、使用者の要請や空間の環境に応じて自在に変えることができる。よって、使用者にとっての居住性に対する要求をより細やかに充足することができる。
【００７５】
さらに、本実施形態では、直線部固定部材３０Ｓを嵌合部材として用いる構成とした。しかし、コーナー部固定部材３０Ｃを嵌合部材として用いる構成としてもよい。この場合、コーナー部固定部材３０Ｃには、直線部固定部材３０Ｓと同様に、側部プレート部３１，３１と、側部プレート部３１，３１どうしを一体に連結する連結プレート部３２が設けられる。また、この場合、側部プレート部３１，３１、及び連結プレート部３２はコーナー部固定部材３０Ｃの湾曲する方向に沿ってそれぞれ略Ｌ字状に湾曲した構成であることが望ましい。
【００７６】
次に、本発明の第二実施形態について、図１４を参照して説明する。
図１４に示すように、本実施形態における間仕切り装置１０では、上述の第一実施形態に比して、以下の点で異なる構成を有している。すなわち、本実施形態に係る間仕切り装置１０では、下部支持部材６０における第一支持部６１の下端部が、床面上まで延びるように構成されている。なお、この場合においては、第一支持部６１は上述のボルト６５によって固定しない構成としても良い。
【００７７】
このような構成であれば、第二のパネル体１１Ｂの重量による負荷を、上部支持部材７０によって支持できることに加えて、下部支持部材６０における第一支持部６１によって床面でも支持することができる。したがって、第二のパネル体１１Ｂをより安定的に支持することができる。
【００７８】
さらに、本発明の第三実施形態について、図１５を参照して説明する。
図１５に示すように、本実施形態における間仕切り装置１０は、以下の点で、上述の第一実施形態とは異なっている。すなわち、本実施形態における間仕切り装置１０では、上述の第一実施形態における間隙Ｘの下側の領域に、第三のパネル体１１（１１Ｃ）が設けられている。換言すれば、間隙Ｘを挟んで上下方向に２つのパネル体１１（１１Ｂ，１１Ｃ）が設けられている。本実施形態において、第二のパネル体１１Ｂは、第一のパネル体１１Ａに下部支持部材６０を介して支持されている。さらに、第二実施形態のように第一のパネル体１１Ａに支持された第一支持部６１が下方に延び、本実施形態では第一支持部６１の下端が第三のパネル体１１Ｃに当接して支持される構成としても良い。
【００７９】
このような構成であれば、間隙Ｘを通じて、パネル体１１の一方側から他方側に向けて、照明装置の照光や、空調機器の気流を取り入れることができる。加えて、第一実施形態に比して、間隙Ｘの寸法が小さくなるため、第二のパネル体１１Ｂが設けられた部分では、第二のパネル体１１Ｂにより区画された範囲の一方側から他方側への視線をより効果的に遮ることができる。
なお、本実施形態では、透明の板である透明板Ｔを間隙Ｘの内側に配置する構成としてもよい。この場合、透明板Ｔは、間隙Ｘの両側に位置する第一のパネル体１１Ａ，１１Ａに形成された凹溝２５に直接嵌合される構成が考えられる。換言すると、透明板Ｔの幅方向における寸法は、間隙Ｘを介して配列された第一のパネル体１１Ａ，１１Ａにおける、一方側の凹溝２５から他方側の凹溝２５に至るまでの寸法とおおむね同一とすることが望ましい。このような構成としても透明板Ｔを通して照明を採光することができる。
【符号の説明】
【００８０】
１０  間仕切り装置  １１  パネル体  １１Ａ  第一のパネル体  １１Ｂ  第二のパネル体  １１ｓ  外周端部（側縁部）  １２  パネル基材（基材）  １３  クッション材（軟性材）  １３ｅ，１４ｅ  外周端部  １４  表皮材  ２５  凹溝  ３０Ｓ  直線部固定部材（嵌合部材）  ３０Ｃ  コーナー部固定部材（嵌合部材）  ３５  装着溝  ６  下部支持部材  ７０  上部支持部材  Ｘ  間隙
【図１】
2015190116.tif 000003
【図２】
2015190116.tif 000004
【図３】
2015190116.tif 000005
【図４】
2015190116.tif 000006
【図５】
2015190116.tif 000007
【図６】
2015190116.tif 000008
【図７】
2015190116.tif 000009
【図８】
2015190116.tif 000010
【図９】
2015190116.tif 000011
【図１０】
2015190116.tif 000012
【図１１】
2015190116.tif 000013
【図１２】
2015190116.tif 000014
【図１３】
2015190116.tif 000015
【図１４】
2015190116.tif 000016
【図１５】
2015190116.tif 000017
【図１６】
2015190116.tif 000018